(57)【特許請求の範囲】
【請求項１】
底面に排水口が設けられたボウル部とカウンター部とからなる洗面ボウルにおいて、上記ボウル部を構成する側壁に上記排水口より所定寸法高い位置に設けられたオーバーフロー口の開閉をレリーズワイヤを介してカウンター部に設けられた操作部によって行うオーバーフロー口の開閉構造であって、
上記オーバーフロー口がオーバーフロー用孔部とされ、挿通孔が設けられた円盤が上記オーバーフロー用孔部を閉塞または連通してオーバーフロー口を開閉する円盤と、この円盤及び上記レリーズワイヤと連結したクランク機構とを備え、
上記ポップアップつまみが押し下げ状態ではポップアップ式止水栓が開となり、かつ上記クランク機構を介して上記円盤が回転して上記オーバーフロー用孔部を閉塞することによりオーバーフロー口が閉となるように、レリーズワイヤの上下運動を回転運動に変換、伝達してなるオーバーフロー口の開閉構造。
【請求項２】
底面に排水口が設けられたボウル部とカウンター部とからなる洗面ボウルにおいて、上記ボウル部を構成する側壁に上記排水口より所定寸法高い位置に設けられたオーバーフロー口の開閉をレリーズワイヤを介してカウンター部に設けられた操作部によって行うオーバーフロー口の開閉構造であって、上記オーバーフロー口がオーバーフロー用孔部とされ、挿通孔が設けられた円盤が上記オーバーフロー用孔部を閉塞または連通してオーバーフロー口を開閉する円盤と、この円盤及び上記レリーズワイヤと連結したクランク機構とを備え、
上記ポップアップつまみが引き上げ状態ではポップアップ式止水栓が閉となり、かつ上記クランク機構を介して上記円盤が回転して上記オーバーフロー用孔部と挿通孔とが連通することによりオーバーフロー口が開となるように、レリーズワイヤの上下運動を回転運動に変換、伝達してなるオーバーフロー口の開閉構造。
【請求項３】
上記挿通孔が円形である請求項１または２に記載のオーバーフロー口の開閉構造。
【発明の詳細な説明】
【技術分野】
【０００１】
本発明は、水回り商品、とくに洗面化粧台の洗面ボウルのオーバーフロー部の構造に関する。さらに詳しくは、オーバーフロー水が溢流するオーバーフロー口の開閉構造に関する。
【背景技術】
【０００２】
陶器製、プラスチック製等の洗面ボウルは、通常、洗面キャビネットに固定されて使用される。上記洗面キャビネットは種々の洗面用、サニタリー用等の小物類の収納場所として利用されるとともに、洗面ボウルの底面に設けられた排水口からの排水や、オーバーフロー用の開口部からオーバーフローする水が合一して流れる排水パイプの配設個所としても利用されている。
【０００３】
上記洗面ボウルは、通常、ボウル部とカウンター部とからなり、ボウル部はその底面に排水口が設けられ、カウンター部には水栓、湯水混合栓等が取り付けられて蛇口から湯水が供給される。また、ボウル部を構成する側壁、とくに、上記蛇口下方の側壁にはボウル部内に湯水を溜める際、蛇口を閉め忘れた時等、湯水がボウル部から溢れ出ることのないように上記排水口より所定寸法高い位置にオーバーフロー用の開口部が設けられている。このオーバーフロー用開口部には、オーバーフローする水が流れ込み、溢流した湯水はオーバーフロー管に流れ、上記排水口からの排水と合一して排水管へ排出される。
【０００４】
下記特許文献１には、低コストでかつ、簡単に上記したオーバーフロー機能を付与することのできるオーバーフロー機構付の水槽が提案されている。すなわち、排水口を有するとともに、該排水口より所定寸法高位置にオーバーフロー孔を、更に該オーバーフロー孔と該排水口とを連通させるオーバーフロー水路とを有するオーバーフロー機構部を備えた水槽において、水槽本体部とは別体をなす前記オーバーフロー機構部を水槽の内面側に組み付けたことを特徴とするオーバーフロー付の水槽が開示されている。
【０００５】
そして、その効果として、水槽本体と別体をなすオーバーフロー機構部を水槽の内面側に組み付けたものあるため、複雑な構造のオーバーフロー機構部を水槽に一体に成形しておく必要はなく、簡単に水槽にオーバーフロー機構を具備させることができると記載されている。
【特許文献１】特開２０００−１５４５６９号公報（第１〜５頁、第１、第２図、第３図）
【発明の開示】
【発明が解決しようとする課題】
【０００６】
しかしながら、上記特許文献１に記載の技術は、その第１図、第２図、第３図に示されているように、水槽本体とオーバーフロー機構部との２つの構成要素からなり、それぞれを成形するための鋳型が必要となる。とくに、オーバーフロー機構部は中空に形成されるとともに、オーバーフロー孔やオーバーフロー水路等が設けられるため、成形が困難で、製造コストが高くなるという問題がある。
【０００７】
本発明は、このような問題を解決して、構造が簡単で、水槽本体の排水口の開閉とオーバーフロー口の開閉とを一連の操作で容易に行うことのできるオーバーフロー口の開閉構造を提供することを、その課題とする。
【課題を解決するための手段】
【０００８】
上記課題を解決するために、本発明においては、つぎのような技術的手段を講じている。すなわち、本願請求項１に記載のオーバーフロー口の開閉構造は、底面に排水口が設けられたボウル部とカウンター部とからなる洗面ボウルにおいて、上記ボウル部を構成する側壁に上記排水口より所定寸法高い位置に設けられたオーバーフロー口の開閉をレリーズワイヤを介してカウンター部に設けられた操作部によって行うことを特徴とするものである。上記洗面ボウルの材質としてはとくに限定されず、陶器製、合成樹脂製、琺瑯製等、種々の材質のものが使用可能である。
【００１０】
また、上記オーバーフロー口がオーバーフロー用孔部とされ、挿通孔が設けられた円盤が上記オーバーフロー用孔部を閉塞または連通してオーバーフロー口を開閉する円盤と、この円盤及び上記レリーズワイヤと連結したクランク機構とを備え、上記ポップアップつまみが押し下げ状態ではポップアップ式止水栓が開となり、かつ上記クランク機構を介して上記円盤が回転して上記オーバーフロー用孔部を閉塞することによりオーバーフロー口が閉となるように、レリーズワイヤの上下運動を回転運動に変換、伝達してなることを特徴としている。
【００１１】
請求項２記載の発明は、底面に排水口が設けられたボウル部とカウンター部とからなる洗面ボウルにおいて、上記ボウル部を構成する側壁に上記排水口より所定寸法高い位置に設けられたオーバーフロー口の開閉をレリーズワイヤを介してカウンター部に設けられた操作部によって行うオーバーフロー口の開閉構造であって、上記オーバーフロー口がオーバーフロー用孔部とされ、挿通孔が設けられた円盤が上記オーバーフロー用孔部を閉塞または連通してオーバーフロー口を開閉する円盤と、この円盤及び上記レリーズワイヤと連結したクランク機構とを備え、上記ポップアップつまみが引き上げ状態ではポップアップ式止水栓が閉となり、かつ上記クランク機構を介して上記円盤が回転して上記オーバーフロー用孔部と挿通孔とが連通することによりオーバーフロー口が開となるように、レリーズワイヤの上下運動を回転運動に変換、伝達してなることを特徴としている。
【００１３】
本願請求項３記載の発明は、上記請求項１または２記載のオーバーフロー口の開閉構造において、上記挿通孔が円形であることを特徴としている。
【発明の効果】
【００１４】
請求項１に記載の発明にかかるオーバーフロー口の開閉構造においては、上記のとおりであり、特に、洗面ボウルのボウル部の底面に設けられた排水口と、この排水口より所定寸法高い位置に設けられたオーバーフロー口の開閉とをレリーズワイヤを介してカウンター部に設けられた操作部によって行うため、排水口の開閉とオーバーフロー口の開閉とをカウンター上で一連の動作で簡単に行うことができる。
【００１６】
また、上記ポップアップつまみが押し下げ状態ではポップアップ式止水栓が開となりかつオーバーフロー口が閉となるように、レリーズワイヤの上下運動が回転運動に変換され伝達されるため、排水口から使用後の湯水を排水することができるとともに、急な排水により、オーバーフロー口からの排水の逆流出を防止することができる。また、外部に接続された排水管からの臭気の侵入も防止できる。
【００１７】
請求項２に記載のオーバーフロー口の開閉構造においては、特に、上記ポップアップつまみが引き上げ状態ではポップアップ式止水栓が閉となりかつオーバーフロー口が開となるように、レリーズワイヤの上下運動が回転運動に変換され伝達されるため、排水口は閉となり湯水を溜めることができるとともに、蛇口の閉め忘れ等によりオーバーフローした湯水はオーバーフロー口から外部の排水管に排出することができる。
【００１９】
請求項３に記載のオーバーフロー口の開閉構造においては、特に、挿通孔を円形とすることにより、簡単に、所定間隔で円盤に挿通孔を設けることが可能となり、スムースにオーバーフロー口を開閉することができる。
【発明を実施するための最良の形態】
【００２０】
以下、本発明の実施形態について図面を参照して詳細に説明する。図１は、本発明にかかるオーバーフロー口の開閉構造を示す説明図である。図１に示すように、洗面ボウルＡはボウル部１とカウンター部２とからなり、ボウル部１の底面には排水口１１が設けられ、この排水口１１より所定寸法高い位置にはオーバーフロー口１２が穿たれている。上記排水口１１には排水孔１１１が設けられるとともに、ポップアップ式止水栓３を有し、上記カウンター部２には、このポップアップ式止水栓３の開閉操作を行うポップアップつまみ４が設けられている。
【００２１】
上記ポップアップつまみ４は、レリーズワイヤ５と動力伝達レバー６とからなる動力伝達機構Ｂを操作する操作部として機能し、動力伝達機構Ｂからの力はロッド３１を介してポップアップ式止水栓３を上下させ、上記排水口１１を開閉する。すなわち、図１に矢印で示すように、ポップアップつまみ４を押し下げると、ポップアップ式止水栓３を押し上げて排水口１１を開とし、オーバーフロー口１２を閉とする。
【００２２】
図１に示す状態では、ポップアップつまみ４の押し下げにより、上部レリーズワイヤ５１は下方に直線移動するとともに、その力は上部動力伝達レバー６１を時計方向に回転させ、下部レリーズワイヤ５２を前進させる。この下部レリーズワイヤ５２の前進により下部動力伝達レバー６２は時計方向に回転してロッド３１を押し上げ、ポップアップ式止水栓３は上昇して排水口１１が開き、ボウル部１内の湯水は排水孔１１１から排水される。
【００２３】
一方、上記上部レリーズワイヤ５１には公知のクランク機構８が連結され、このクランク機構８により上部レリーズワイヤ５１の直線運動は回転運動に変換される。そしてこの回転運動は軸８１を介して円盤７に伝達され円盤７は回転する。
【００２４】
図１に示されるように、この円盤７には複数個の円形の挿通孔７１が穿たれ、オーバーフロー口１２としてボウル部１の側壁に設けられたオーバーフロー用孔部と挿通孔７１とが連通したとき、オーバーフロー水の流路が形成され、連通しないときは、オーバーフロー用孔部は塞がれる。図１は、オーバーフロー用孔部が塞がれ、オーバーフロー口１２が閉の状態を示す。なお、クランク機構８および円盤７等は公知の水封機構９によってシールされている。
【００２５】
図１に示すように、排水口１１が開、オーバーフロー口１２が閉の状態では、排水口１１からの急な排水により、オーバーフロー口１２からの排水の逆流や、エアー引き込み音の発生を防止し、さらに、図外排水管からの臭気の逆流を防止することもできる。
【００２６】
図２は、上記クランク機構８が上部レリーズワイヤ５１の直線運動を回転運動に変換し、円盤７を回転させる状態を示す説明図である。図２は、洗面ボウルＡのカウンター部２側、すなわち、背面側から円盤７をみた状態であり、図示しないボウル部１の側壁に設けられたオーバーフロー用孔部と上記挿通孔７１とが連通したとき、上記したように、オーバーフロー水用流路が形成され、オーバーフロー口１２は開となる。一方、オーバーフロー用孔部が円盤７の挿通孔７１以外の部分によって塞がれたとき、オーバーフロー水用流路は形成されず、オーバーフロー口１２は閉となる。
【００２７】
図３は、図１とは逆に、ポップアップつまみ４を引き上げたときの動作を示す説明図である。このとき、図３に矢印で示すように、ポップアップ式止水栓３は引き下げられて排水口１１は閉となり、上部レリーズワイヤ５１の上方への移動は、クランク機構８によって回転運動に変換されるとともに、軸８１を介して円盤７に伝達されて円盤７は回転する。
【００２８】
図３に示すように、円盤７の回転によりオーバーフロー用孔部と上記挿通孔７１とが連通したとき、オーバーフロー水用流路が形成され、オーバーフロー口１２は開となる。図３に示す状態では、排水孔１１１が塞がれているため、湯水を溜めることができるとともに、蛇口の閉め忘れ等によりオーバーフローした湯水はオーバーフロー口１２から図外排水管に排出することができる。
【００２９】
図４は上記のように構成された本発明にかかるオーバーフロー口の開閉構造を示す外観斜視図である。上記実施形態においては、円盤７に円形の挿通孔７１を穿った場合について述べたが、円盤７に扇形の挿通孔７１を設けてもよい。また、上記実施形態は洗面ボウルを例として説明したが、本発明は、キッチンの流し、その他の流しに対して、また浴槽等の水槽に対しても適用可能である。このように、本発明は設計変更自在であり、特許請求の範囲を逸脱しない限り、本発明の技術的範囲に属する。
【図面の簡単な説明】
【００３０】
【図１】本発明にかかるオーバーフロー口の開閉構造の概略構成を示す説明図である。
【図２】クランク機構が上部レリーズワイヤの直線運動を回転運動に変換して円盤を回転させる状態を示す説明図である。
【図３】本発明にかかるオーバーフロー口の開閉構造の概略構成を示す説明図である。
【図４】本発明にかかるオーバーフロー口の開閉構造を示す外観斜視図である。
【符号の説明】
【００３１】
Ａ          洗面ボウル
Ｂ          動力伝達機構
１          ボウル部
１１        排水口
１１１      排水孔
１２        オーバーフロー口
２          カウンター部
３          ポップアップ式止水栓
３１        ロッド
４          ポップアップつまみ
５          レリーズワイヤ
５１        上部レリーズワイヤ
５２        下部レリーズワイヤ
６          動力伝達レバー
６１        上部動力伝達レバー
６２        下部動力伝達レバー
７          円盤
７１        挿通孔
８          クランク機構
８１        軸
９          水封機構
【図１】
0004941983.tif 000002
【図２】
0004941983.tif 000003
【図３】
0004941983.tif 000004
【図４】
0004941983.tif 000005